(57)【要約】      （修正有）【課題】髪本体部分および毛先部分に対してストレート作用を有し、ストレート効果が良好であり、構造が簡単で、実施が容易な、髪をストレートにするためのパーマ櫛を提供する。【解決手段】パーマ櫛は、櫛本体を備え、櫛本体の後端には、ハンドルが設けられ、櫛本体上には、少なくとも１列の発熱櫛歯１０と、少なくとも１群の断熱櫛歯１１と、少なくとも１列の植毛櫛歯１２と、少なくとも１列の境界櫛歯１３とが設けられ、断熱櫛歯と植毛櫛歯とが何れも発熱櫛歯の外側に設けられ、境界櫛歯が植毛櫛歯の外側に設けられ、植毛櫛歯と発熱櫛歯とが互いに千鳥状に配置され、境界櫛歯と植毛櫛歯とが互いに千鳥状に配置されている。【選択図】図３
0003218799.tif 000002
【実用新案登録請求の範囲】
【請求項１】
髪をストレートにするためのパーマ櫛であって、
櫛本体（１）を備え、
前記櫛本体（１）の後端には、ハンドル（２）が設けられ、前記櫛本体（１）上には、少なくとも１列の発熱櫛歯（１０）と、少なくとも１群の断熱櫛歯（１１）と、少なくとも１列の植毛櫛歯（１２）と、少なくとも１列の境界櫛歯（１３）とが設けられ、前記断熱櫛歯（１１）と植毛櫛歯（１２）とが何れも発熱櫛歯（１０）の外側に設けられ、前記境界櫛歯（１３）が植毛櫛歯（１２）の外側に設けられ、前記植毛櫛歯（１２）と前記発熱櫛歯（１０）とが互いに千鳥状に配置され、前記境界櫛歯（１３）と植毛櫛歯（１２）とが互いに千鳥状に配置されていることを特徴とする髪をストレートにするためのパーマ櫛。
【請求項２】
前記発熱櫛歯（１０）は、複数列あり、当該複数列の発熱櫛歯（１０）は、互いに千鳥状に配置されていることを特徴とする請求項１に記載の髪をストレートにするためのパーマ櫛。
【請求項３】
前記植毛櫛歯（１２）は、２列あり、当該２列の植毛櫛歯（１２）は、発熱櫛歯（１０）の左右の両側にそれぞれ設けられていることを特徴とする請求項１に記載の髪をストレートにするためのパーマ櫛。
【請求項４】
前記断熱櫛歯（１１）は、２群あり、各群の断熱櫛歯（１１）は、弧状配列であり、２群の断熱櫛歯（１１）は、発熱櫛歯（１０）の前後の両側にそれぞれ設けられていることを特徴とする請求項１に記載の髪をストレートにするためのパーマ櫛。
【請求項５】
前記境界櫛歯（１３）は、２列あり、当該２列の境界櫛歯（１３）は、２列の植毛櫛歯（１２）の外側にそれぞれ設けられていることを特徴とする請求項３に記載の髪をストレートにするためのパーマ櫛。
【請求項６】
前記境界櫛歯（１３）は、植毛櫛歯（１２）に対して垂直し、前記櫛本体（１）の外側へ延在することを特徴とする請求項１に記載の髪をストレートにするためのパーマ櫛。
【請求項７】
前記境界櫛歯（１３）の前後の２つの側面は、何れも三角形面をなすことを特徴とする請求項１に記載の髪をストレートにするためのパーマ櫛。
【請求項８】
前記境界櫛歯（１３）の端部には、球形部（１４）が形成されていることを特徴とする請求項１に記載の髪をストレートにするためのパーマ櫛。
【考案の詳細な説明】
【技術分野】
【０００１】
本考案は、パーマ櫛に関し、特に髪をストレートにするためのパーマ櫛に関する。
【背景技術】
【０００２】
パーマ櫛は、加熱櫛歯を介して髪のスタイリングやストレートを行うための美髪用具である。図１を参照すると、従来のパーマ櫛は、櫛本体１００に複数列の発熱櫛歯１０１が設けられ、使用時に、先に発熱櫛歯１０１を加熱し、後で髪を梳かす際、発熱櫛歯１０１の熱およびその梳かし作用により、髪をストレートにする。しかし、櫛本体１００に複数列の発熱櫛歯１０１のみが設けられるため、髪を通す通路が簡単過ぎる。これにより、パーマ櫛は、厚い髪または髪の本体部分のみに対してストレート効果を発揮する。髪の毛先や先端に至るとき、当該部分の髪が相対的に疎らであるため、櫛歯間から快速に滑り出て、毛先部分のストレート効果が悪くて、ユーザの需要に応じ難い。
【考案の概要】
【考案が解決しようとする課題】
【０００３】
本考案が解決しようとする技術問題は、従来技術の不足について、髪本体部分および毛先部分に対するストレート作用を有しつつ、ストレート効果が良好であり、構造が簡単であり、実施が容易であるパーマ櫛を提供することにある。
【課題を解決するための手段】
【０００４】
上記技術問題を解決すべく、本考案は、以下の解決手段を講じる。
【０００５】
髪をストレートにするためのパーマ櫛は、櫛本体を備え、前記櫛本体の後端には、ハンドルが設けられ、前記櫛本体上には、少なくとも１列の発熱櫛歯と、少なくとも１群の断熱櫛歯と、少なくとも１列の植毛櫛歯と、少なくとも１列の境界櫛歯とが設けられ、前記断熱櫛歯と植毛櫛歯とが何れも発熱櫛歯の外側に設けられ、前記境界櫛歯が植毛櫛歯の外側に設けられ、前記植毛櫛歯と前記発熱櫛歯とが互いに千鳥状に配置され、前記境界櫛歯と植毛櫛歯とが互いに千鳥状に配置されている。
【０００６】
好ましくは、前記発熱櫛歯は、複数列あり、当該複数列の発熱櫛歯は、互いに千鳥状に配置されている。
【０００７】
好ましくは、前記植毛櫛歯は、２列あり、当該２列の植毛櫛歯は、発熱櫛歯の左右の両側にそれぞれ設けられている。
【０００８】
好ましくは、前記断熱櫛歯は、２群あり、各群の断熱櫛歯は、弧状配列であり、２群の断熱櫛歯は、発熱櫛歯の前後の両側にそれぞれ設けられている。
【０００９】
好ましくは、前記境界櫛歯は、２列あり、当該２列の境界櫛歯は、２列の植毛櫛歯の外側にそれぞれ設けられている。
【００１０】
好ましくは、前記境界櫛歯は、植毛櫛歯に対して垂直し、前記櫛本体の外側へ延在する。
【００１１】
好ましくは、前記境界櫛歯の前後の２つの側面は、何れも三角形面をなす。
【００１２】
好ましくは、前記境界櫛歯の端部には、球形部が形成されている。
【考案の効果】
【００１３】
本考案に開示された髪をストレートにするためのパーマ櫛では、発熱櫛歯の外側に断熱櫛歯および植毛櫛歯が設けられ、植毛櫛歯の外側に境界櫛歯が設けられるとともに、隣接する２種の櫛歯が互いに千鳥状に配置されているため、ユーザがパーマ櫛で髪を梳かすとき、複数種の櫛歯の協調のもとで、髪を通す通路がより複雑になり、髪に対する摩擦力が増加し、髪が均一に熱を受け、特に毛先位置に至る際、前記植毛櫛歯と境界櫛歯とが髪の本体部分に対して挟持、梳かし作用を有し、毛先が発熱櫛歯の間から滑り出ることが回避され、更に髪本体部分および毛先部分の何れにも良好なストレート作用が発揮される。それとともに、本考案は、構造が簡単であり、実施が容易であり、当分野での普及応用にも適合する。
【図面の簡単な説明】
【００１４】
【図１】従来のパーマ櫛の局所構造図である。
【図２】本考案のパーマ櫛の斜視図である。
【図３】図２におけるパーマ櫛の局所拡大図である。
【図４】本考案のパーマ櫛の正面図である。
【図５】図４におけるパーマ櫛の局所拡大図である。
【図６】本考案のパーマ櫛の端部構造図である。
【図７】図６におけるＡ部分の拡大図である。
【考案を実施するための形態】
【００１５】
以下では、図面及び実施例を組み合わせて本考案をさらに詳細に記述する。
【００１６】
本考案は、髪をストレートにするためのパーマ用の櫛（ヘアブラシともいう）を開示する。図２から図７に示すように、それは、櫛本体１を備え、前記櫛本体１の後端には、ハンドル２が設けられ、前記櫛本体１上には、少なくとも１列の発熱櫛歯１０と、少なくとも１群の断熱櫛歯１１と、少なくとも１列の植毛櫛歯１２と、少なくとも１列の境界櫛歯１３とが設けられ、前記断熱櫛歯１１と植毛櫛歯１２とが何れも発熱櫛歯１０の外側に設けられ、前記境界櫛歯１３が植毛櫛歯１２の外側に設けられ、前記植毛櫛歯１２と前記発熱櫛歯１０とが互いに千鳥状に配置され、前記境界櫛歯１３と植毛櫛歯１２とが互いに千鳥状に配置されている。
【００１７】
上記パーマ櫛では、発熱櫛歯１０の外側に断熱櫛歯１１および植毛櫛歯１２が設けられ、植毛櫛歯１２の外側に境界櫛歯１３が設けられるとともに、隣接する２種の櫛歯が互いに千鳥状に配置されているため、ユーザがパーマ櫛で髪を梳かすとき、複数種の櫛歯の協調のもとで、髪を通す通路がより複雑になり、髪に対する摩擦力が増加し、髪が均一に熱を受け、特に毛先位置に至る際、前記植毛櫛歯１２と境界櫛歯１３とが髪の本体部分に対して挟持、梳かし作用を有し、毛先が発熱櫛歯１０の間から滑り出ることが回避され、更に髪本体部分および毛先部分の何れに対しても良好なストレート作用が発揮される。それとともに、本考案は、構造が簡単であり、実施が容易であり、当分野での普及応用にも適合する。
【００１８】
本実施例では、図２から図５に示すように、前記発熱櫛歯１０は、複数列あり、且つ複数列の発熱櫛歯１０は、互いに千鳥状に配置されている。
【００１９】
双方向の髪の梳かしを実現するために、本実施例において、前記植毛櫛歯１２は、２列あり、当該２列の植毛櫛歯１２は、発熱櫛歯１０の左右の両側にそれぞれ設けられている。
【００２０】
好適な形態として、前記断熱櫛歯１１は、２群あり、各群の断熱櫛歯１１は、弧状配列であり、且つ当該２群の断熱櫛歯１１は、発熱櫛歯１０の前後の両側にそれぞれ設けられている。
【００２１】
本実施例では、図６及び図７に示すように、前記境界櫛歯１３は、２列あり、当該２列の境界櫛歯１３は、２列の植毛櫛歯１２の外側にそれぞれ設けられている。
【００２２】
好適な形態として、前記境界櫛歯１３は、植毛櫛歯１２に対して垂直し、前記櫛本体１の外側へ延在する。このような構造のメリットとして、パーマ時、髪が境界櫛歯１３に進入するまで、櫛本体１を所定角度で少し回動可能である。こうして、髪が確実に発熱櫛歯１０の間を通り、髪の滑り出しが回避される。
【００２３】
本実施例では、前記境界櫛歯１３の前後の２つの側面は、何れも三角形面をなす。当該三角形面により、各境界櫛歯１３の間の通路が長くされることが可能であり、さらに髪に対する梳かし効果が向上する。
【００２４】
髪をより良く境界櫛歯１３内に制限するために、本実施例では、前記境界櫛歯１３の端部には、球形部１４が形成されている。
【００２５】
本実施例では、櫛本体１内に電気加熱板が設けられ、ハンドル２内に回路基板が設けられ、回路基板にキーが設けられ、回路基板によって電気加熱板のパワーオン状態を制御可能である。
【００２６】
上述したのが本考案の好適な実施例に過ぎず、本考案を制限するためのものではない。本考案の技術範囲内でなされた変更、均等物による置換または改良等は、何れも本考案の保護範囲内に含まれる。
【図１】
0003218799.tif 000003
【図２】
0003218799.tif 000004
【図３】
0003218799.tif 000005
【図４】
0003218799.tif 000006
【図５】
0003218799.tif 000007
【図６】
0003218799.tif 000008
【図７】
0003218799.tif 000009